(57)【特許請求の範囲】
【請求項１】
再生装置から表示装置へインタフェースを通じて三次元ビデオ情報を送信する方法であって、前記表示装置及び前記インタフェースは、前記表示装置の特性が前記インタフェースを通じて問い合わせられることができるような表示装置及びインタフェースであり、当該方法は、
- 前記再生装置の入力に対して利用可能である圧縮された三次元ビデオ情報の入力ビデオ・フォーマットを決定し、前記三次元ビデオ情報は、記録媒体に記録された又はデータ伝送システムを介して受け取られたものとして利用可能であり、
-前記表示装置が処理することができる１つ以上の三次元ビデオ・フォーマットに関して前記インタフェースを通じて前記表示装置に問い合わせて、
- 適した三次元ビデオ・フォーマットを選択し、前記適した三次元ビデオ・フォーマットの選択は、前記入力ビデオ・フォーマット及び前記表示装置が処理することができる三次元ビデオ・フォーマットに基づき、
- 前記三次元ビデオ情報が前記適した三次元ビデオ・フォーマットにおいて前記インタフェースを通じて送信されるように前記圧縮された三次元ビデオ情報を処理し、
前記適した三次元ビデオ・フォーマットがステレオである場合、前記表示装置によって達成可能な最大の水平及び垂直周波数を読み取り、前記最大の水平及び垂直周波数が前記三次元ビデオ情報の解像度及びフレームレートに対応するために十分高い場合、前記適した三次元ビデオ・フォーマットで前記三次元ビデオ情報を前記表示装置に送信するために、時間シーケンシャル方法を選択する、方法。
【請求項２】
前記圧縮された三次元ビデオ情報の処理が、
− 前記三次元ビデオ情報のピクセル・フレーム・サイズをスケーリングするステップ、
− 前記三次元ビデオ情報のフレームレートを適応させるステップ、
− 前記三次元ビデオ情報の色深度を適応させるステップ、
のうちの少なくとも１つを含む、請求項１に記載の方法。
【請求項３】
前記インタフェースがHDMIインタフェースである請求項２に記載の方法。
【請求項４】
ステレオフォーマットが前記適した三次元ビデオ・フォーマットとして選択され、前記最大の水平及び垂直周波数が前記三次元ビデオ情報の解像度及びフレームレートに対応するために十分高くない場合、前記三次元ビデオ情報が、
- コンテンツ色深度が最大表示色深度の半分以下の場合の色深度方法、
- 前記表示装置が取り扱うことができるピクセル・フレーム・サイズが利用可能な三次元ビデオ情報のピクセル・フレーム・サイズの少なくとも倍である場合のライン・インタリーブ方法、
のうちの１つの方法によって送信されることが選択される、請求項１に記載の方法。
【請求項５】
前記適した三次元ビデオ・フォーマットとして二次元+深さフォーマットが選択される場合、深さ情報がHDMIオーディオ・パケット中に収容される、請求項３に記載の方法。
【請求項６】
前記適した三次元ビデオ・フォーマットが、前記表示装置が処理することができる最大のピクセル・フレーム・サイズ及び最高のフレームレートに対応する、請求項１から請求項５のいずれか一項に記載の方法。
【請求項７】
三次元ビデオ情報の再生のための再生装置であって、
−記録媒体から又はデータ伝送システムを介して前記三次元ビデオ情報を受け取るための入力手段、
−表示装置にインタフェースを通じて前記ビデオ情報を送信するための出力手段であって、前記表示装置及び前記インタフェースは、前記表示装置の特性が前記インタフェースを通じて問い合わせられることができるような表示装置及びインタフェースである出力手段、
−入力に対して利用可能である圧縮された三次元ビデオ情報の入力ビデオ・フォーマットを決定するための手段、
-前記表示装置が処理することができる１つ以上の三次元ビデオ・フォーマットに関して前記インタフェースを通じて前記表示装置に問い合わせるための手段、
−適した三次元ビデオ・フォーマットを選択するための手段であって、前記適した三次元ビデオ・フォーマットの選択は、前記入力ビデオ・フォーマット及び前記表示装置が処理することができる三次元ビデオ・フォーマットに基づく手段、
−前記三次元ビデオ情報が前記適した三次元ビデオ・フォーマットで前記インタフェースを通じて送信されるように、前記圧縮された三次元ビデオ情報を処理するためのビデオ処理手段、
を有し、
前記選択するための手段は、前記適した三次元ビデオ・フォーマットがステレオである場合、前記表示装置によって達成可能な最大の水平及び垂直周波数を読み取り、前記最大の水平及び垂直周波数が前記三次元ビデオ情報の解像度及びフレームレートに対応するために十分高い場合、前記適した三次元ビデオ・フォーマットで前記三次元ビデオ情報を前記表示装置に送信するために、時間シーケンシャル方法を選択する、再生装置。
【請求項８】
前記ビデオ処理手段は、
-前記三次元ビデオ情報のピクセル・フレーム・サイズをスケーリングすること、
-前記三次元ビデオ情報のフレームレートを適応させること、
-前記三次元ビデオ情報の色深度を適応させること、
のうちの少なくとも１つを実行する、請求項７に記載の装置。
【請求項９】
前記インタフェースがHDMIインタフェースである請求項８に記載の装置。
【請求項１０】
前記選択するための手段が、前記適したビデオ・フォーマットとしてステレオ・フォーマットを選択し、前記最大の水平及び垂直周波数が前記三次元ビデオ情報の解像度及びフレームレートに対応するために十分高くない場合、前記選択するための手段は、
- コンテンツ色深度が最大表示色深度の半分以下の場合の色深度方法、
- 前記表示装置が取り扱うことができるピクセル・フレーム・サイズが利用可能な三次元ビデオ情報のピクセル・フレーム・サイズの少なくとも倍である場合のライン・インタリーブ方法、
のうちの１つによって前記三次元ビデオ情報が送信されることを選択する、請求項７に記載の装置。
【請求項１１】
前記選択するための手段が、前記適した三次元ビデオ・フォーマットとして二次元+深さフォーマットを選択する場合、当該装置は、HDMIオーディオ・パケット中に深さ情報を収容する、請求項９に記載の装置。
【請求項１２】
前記適した三次元ビデオ・フォーマットが、前記表示装置が処理することができる最大のピクセル・フレーム・サイズ及び最高のフレームレートに対応する、請求項７から請求項１１のいずれか一項に記載の装置。
【発明の詳細な説明】
【技術分野】
【０００１】
本出願は、再生装置から表示装置へとインタフェースを通じて三次元ビデオ情報を送信する方法、及び、当該方法を実施する三次元ビデオ情報の再生のための装置に関する。
【背景技術】
【０００２】
新たな三次元ディスプレイの導入によって、三次元ビデオが大衆消費者市場に登場する可能性がある。そのような三次元ディスプレイは、三次元表示及び二次元表示の両方を取り扱うことができる。現在、三次元視聴覚経験を生成することができる多くの表示装置が存在する。これらは、異なる入力フォーマットを求めて、解像度、色、深さ、周波数などに関して異なる能力を持つ。
【０００３】
三次元ビデオ・コンテンツは、プレーヤー装置から標準インタフェースを通じてディスプレイまで送信されることが期待される。三次元ビデオ・コンテンツは、インタフェースに対する非常に大きな帯域幅を必要とすることが知られており、したがって、既存のインタフェース規格に対する制限を超過することなく追加的な三次元データを送信することを可能にするさまざまな伝送方法が設計された。これらの方法のいくつかは、いくつかのディスプレイ種類に関しては良好に機能し、他のものについては使用可能でない。
【０００４】
ディスプレイ・タイプの開発の次に、多くの研究は、三次元コンテンツを表現して記述する方法を開発することに関して行われ、今日ではほとんど二次元コンテンツをしのいでいる。これは、深さに基づくフォーマット及びステレオ又はマルチ・ビュー・フォーマットの２つの主要なカテゴリに属する多くの三次元フォーマットをもたらした。これらのカテゴリの各々は、さらに下位フォーマットを持ち、例えば、二次元ビデオ+深さマップは遮蔽及び透明度情報を追加することによって拡張されることができ、又は、ステレオ+深さが入力フォーマットとして用いられることができる。あるいは、複数のビューが入力信号として用いられることができ、ディスプレイ（サブ）ピクセルに直接マップされることができる。三次元ビデオ・コンテンツのための柔軟なフォーマットは、同じ出願人による2006/137000A1に開示されている（この文献は参照として本願明細書に包含される）。
【発明の概要】
【発明が解決しようとする課題】
【０００５】
したがって、各々が独自の三次元表示能力を有する利用可能ないくつかのタイプの表示装置、再生装置から表示装置まで三次元情報を送信するいくつかの方法、及び、三次元情報を圧縮するためのいくつかの使用可能なフォーマットが存在し、これらの多くは互いに互換性がない。互いに互換性がない多くの三次元装置及び三次元フォーマットが利用可能であること（言い換えると、統一規格の欠如）は、三次元ディスプレイ及び三次元プレーヤーを消費者にとってあまり魅力的でないものとする可能性があり、市場で受け入れられにくいというリスクがある。
【課題を解決するための手段】
【０００６】
本発明の目的は、少なくとも１つの上述の欠点及びリスクを軽減する、再生装置から表示装置へとインタフェース上で三次元ビデオ情報を送信する方法を提供することにある。本発明は、再生装置が、処理されるべき圧縮された三次元情報及び表示装置の三次元能力に関する情報の両方を持つことができるように送信チェーン中に配置されているという洞察に基づく。したがって、再生装置は、三次元圧縮ビデオ情報と三次元表示能力とを適合させることができるように適応される場合、互換性問題を未然に回避することができる。
【０００７】
本発明による方法は、再生装置の入力に対して利用可能である圧縮された三次元ビデオ情報の１つ以上のビデオ・フォーマットを決定し、三次元ビデオ情報は、記録媒体に記憶された情報として又はデータ伝送システムを介して受け取られる情報として利用可能であり、表示装置が処理することができる１つ以上の三次元ビデオ・フォーマットに関してインタフェースを通じて表示装置に問い合わせて、最適なビデオ・フォーマットを選択し、最適なビデオ・フォーマットは、少なくとも１つの利用可能なビデオ・フォーマットと異なり、最適なビデオ・フォーマットの選択は、利用可能なビデオ・フォーマット及び表示装置が処理することができるビデオ・フォーマットに基づき、三次元ビデオ情報が最適なビデオ・フォーマットでインタフェースを通じて送信されるように、圧縮された三次元ビデオ情報を処理する。それゆえに、入力三次元ビデオ情報は、信号が表示装置の表示能力に適合するように処理され、互換性問題が軽減される。
【０００８】
本発明の有利な実施の形態は、従属請求項に示される。
【０００９】
ディスプレイ・タイプ及びフォーマットは密接に関連しており、各々のディスプレイ・タイプは、本質的に、特定の数のフォーマットをサポートするように構築され、深さベース及びステレオの同じ２つのカテゴリへの多くの既存のディスプレイ技術のグループ化を正当化する。
【００１０】
再生及び表示装置は、プレーヤーからディスプレイへのビデオ及びオーディオを送信すること並びに制御情報の交換を可能にする規格化されたインタフェースを通して接続される。相互接続の大半は、二次元コンテンツを伝達するために意図される規格High-Definition Multimedia Interface（HDMI）を用いて確立され、同じことが全ての他の既存のインタフェース・タイプにも当てはまる。
【００１１】
三次元コンテンツの伝達は大量のデータを送信することを必要とするので、インタフェース制限を超過することなく下位互換性を持つ態様で、既存のインタフェース上でそれを可能にするために、さまざまな方法は、レンダリング経験を三次元化するために必要な追加的な情報を伝達するために、規格のさまざまな特徴を利用するように設計されている。
【００１２】
特定のフォーマットを考えると、一般に、そのフォーマットをサポートするために適切であるさまざまな方法が存在し、（解像度、フレームレート等に関して）フォーマットがより多くを要求する程、適切な方法の数は少なくなる。
【００１３】
最も重要な方法の選択は、表1に示される。
【表１】
0005642695.tif 000002
【００１４】
オーディオ・チャネルは、HDMIオーディオ・パケット内で深さマップを伝達する方法を提案し、さらにそれをビデオと同期させるためのメカニズムを提供する国際出願IB2008/053401に記載されている方法を指す。
【００１５】
あるいは、コンテンツのピクセルあたりのビット数が十分に小さい場合、インタフェースによって送信されることができるピクセルあたりのビット数は、分割されることができ、一部がビデオを伝達するために用いられることができ、残りは深さ又は第２のビューを伝達するために用いられることができる。
【００１６】
ライン・インタリーブ方法は、その代わりに、ビデオのために偶数のラインを選択し、深さ又は右のビューのために奇数のラインを選択することを規定する。
【００１７】
もう１つのオプションはステレオ用であり、時間にわたってインタフェース帯域幅を利用し、左及び右のビューを順々に送信する。多くの他のオプションは、各々異なるトレードオフと共に存在する。
【００１８】
フォーマットにおけるそのような豊富な多様性によって発生する問題は、入力として異なる三次元ビデオ・フォーマットを必要とする異なるタイプのディスプレイの全てをどのようにサポートするかである。ビデオ・フォーマットに関するいくつかの規格化が、VESA Display Information Extension Block規格（DI-EXT）において、ステレオ・ビデオのために実行された。この規格は、ビデオ・インタフェース（例えばHDMI）上での送信のために最善のビデオ・フォーマットを決定することができるように、ディスプレイが再生装置に送信することができる記述情報セット（E-EDID情報）におけるフィールドを記述する。下記のテーブルは、サポートされるフォーマットを示す。
【表２】
0005642695.tif 000003
【００１９】
しかしながら、この規格は、市場の大部分の三次元ディスプレイでは実施されておらず、更には、この規格でさえ、３つの独立したフォーマットをすでに定めている。主要な問題は、例えば三次元ビデオやグラフィックスを処理する能力があるBlu-rayディスク・プレーヤーやセットトップ・ボックスのような再生装置が、三次元ディスプレイによって必要とされるフォーマットを満たすように、その出力上にビデオ及びグラフィックス・オーバレイを正しく合成する方法をどのように決定することができるかである。
【００２０】
再生装置がいくつかのディスプレイのみに関して動作し、他のディスプレイと一緒には動作しないといったことを避けるために、本発明による再生装置は、ディスプレイによって必要とされるように、出力フォーマットを満たすようにビデオ及びグラフィックスの構成を変更することができる。
【００２１】
標準インタフェースを通じて再生装置（例えばBlu-ray Discプレーヤー、セットトップ・ボックス）に接続されて、リビングルームで消費者に三次元経験を届けることができるさまざまなディスプレイ・タイプが発明された。
【００２２】
本発明は、異なる三次元フォーマットが共存することを可能にするソリューションを提案し、再生及び表示装置が互いに通信することを可能にし、再生装置がフォーマットを選択することを可能にし、そして、両方によってサポートされ、選択されたインタフェース制約に適した対応する方法が、三次元コンテンツを送信するために用いられることを可能にする。
【００２３】
以下において、本発明の追加的な有利な実施の形態が記載される。簡潔さのために、特定のインタフェース規格（一般的にHDMI）が利用されるが、これは例示的な選択であり、他のインタフェース選択に容易に移植されることができる。
【００２４】
表示装置は、その能力（例えば寸法、アスペクト比）に関する固有情報（E-EDID情報）を保持することが現在可能であり、それは、再生装置によってアクセスされることができ、コンテンツ送信の間に考慮されることができる。本発明の実施例によれば、これは、サポートされる三次元フォーマットを記載する新たな表を包含するように拡張されることができる。
【００２５】
本発明の実施の形態によれば、再生装置は、その追加情報を解析してどのフォーマットがディスプレイによってサポートされているかを発見するように指示される。
【００２６】
本発明の実施の形態によれば、再生装置において、ディスプレイ及びそれ自体によってサポートされるフォーマット間の最善の適合を特定し、第２ステップとして、インタフェース制限を超過しない態様で、選択されたフォーマットで三次元コンテンツをディスプレイに伝達するために最善の方法を選択するアルゴリズムが実施される。このアルゴリズムは、既存のインタフェース上で三次元追加情報を伝達するための既知の方法に関連するが、異なる原理に基づく新たな方法も同様に含まれることができる。
【００２７】
本発明の他の実施例によれば、コンテンツ送信の間、コンテンツを送信するために使用されるフォーマット及び方法をディスプレイに通知するための情報の断片がデータ中に埋め込まれ、ディスプレイが、受け取られるデータを解釈して、さらに最良にレンダリングするためにそれ自体を予め設定する方法を知ることを可能にする。
【００２８】
本発明の他の実施例によれば、再生装置は、最善の送信フォーマットを一旦決定すると、レジスタに識別情報を記憶し、ストレージ上又は放送チャネル（例えばインターネット、ケーブル、衛星）を通じてやってくるアプリケーションが、レジスタ値を読み出すことができ、それらがプレーヤー装置出力上でビデオ及びグラフィックス・オーバレイを合成する態様をしかるべく変更することができる。このようにして、ディスク上のアプリケーションは、付属の三次元ディスプレイに最も適した出力フォーマットを生成することができる。
【００２９】
本発明の他の実施例によれば、特にBlu-rayディスクから三次元コンテンツを読み出すことを可能にされるプレーヤー装置のために、Player Settings Register及びJava（登録商標） Application Programmerインタフェースが提供され、BD-Java（登録商標） Applicationsは、レジスタ情報にアクセスすることができ、ビデオ及びグラフィックス・オーバレイの合成を変更することができる。
【００３０】
本発明の他の実施例において、プレーヤーは、基礎をなすビデオ・フォーマット構成に適合させるために、HAVi装置構成を自動的に変更する。HAVi装置構成は、ストレージからのアプリケーションが、システムにおけるビデオ及びグラフィックス・プレーンの構成を制御することを可能にするように意図される。典型的な構成の例が図1に示される。この構成を変更することによって、アプリケーションは、アプリケーションによって描画されるグラフィックスが、ディスプレイに送出される前に、どのようにビデオ上に合成されるかについて制御することができる。HAVI装置構成に関する更なる情報は、http://www.havi.org/technical/specifications.asp（自由にアクセス可能）からも取得されることができる。
【００３１】
本発明の特徴及び利点は、以下の図面を参照してさらに説明される。
【図面の簡単な説明】
【００３２】
【図１】HAVi装置構成を説明する図。
【図２】フォーマット/方法選択アルゴリズムの高レベル・ブロック図。
【図３】ステレオ・コンテンツを取り扱う方法を説明する図。
【図４】深さに基づくコンテンツを取り扱う方法を説明する図。
【図５】ビデオ出力フォーマットを示す方法を説明する図。
【図６】概略的にビデオ背景のフォーマットを説明する図。
【図７】使用可能なHAVi装置構成を説明する図。
【図８】本発明が実施されることができるシステムを説明する図。
【発明を実施するための形態】
【００３３】
本発明の核心は、再生装置から表示装置へとインタフェースを通じて三次元ビデオ情報を送信する方法であり、表示装置及びインタフェースは、表示装置の特性がインタフェースを通じて問い合わせられることができるような表示装置及びインタフェースであり、当該方法は、
− 再生装置の入力に対して利用可能である圧縮された三次元ビデオ情報の１つ以上のビデオ・フォーマットを決定し、三次元ビデオ情報は、記録媒体に記憶された情報として又はデータ伝送システムを介して受け取られる情報として利用可能であり、
− 表示装置が処理することができる１つ以上の三次元ビデオ・フォーマットに関してインタフェースを通じて表示装置に問い合わせて、
− 最適なビデオ・フォーマットを選択し、最適なビデオ・フォーマットは、少なくとも１つの利用可能なビデオ・フォーマットと異なり、最適なビデオ・フォーマットの選択は、利用可能なビデオ・フォーマット及び表示装置が処理することができるビデオ・フォーマットに基づき、
− 三次元ビデオ情報が最適なビデオ・フォーマットでインタフェースを通じて送信されるように、圧縮された三次元ビデオ情報を処理する。
【００３４】
この方法は、ディスプレイによって及びそれ自体によってサポートされるフォーマット間の最善のマッチを特定し、インタフェース制限を超過しない態様で、選択されたフォーマットにおいて三次元コンテンツをディスプレイに伝達するために、最善の方法を選択する再生装置で実施される。
【００３５】
簡潔さのために、特定のインタフェース規格（一般的にHDMI）が利用されるが、これは例示的な選択であり、他のインタフェース選択に容易に移植されることができる。HDMIは、現在、再生装置及びデジタルテレビを接続するために利用される最も重要な規格であり、オーディオ及び制御情報と同様にビデオを伝達する。HDMIは、全ての表示装置が、少なくとも２つの部分を含むCEA-861-Dに準拠するE-EDIDデータ構造を含む必要があることを定め、最初の128バイトは、EDID 1.3構造及び、第１E-EDID拡張としてのCEA拡張バージョン3を表す。それらの次に、他のCEA E-EDID拡張が続くことができ、それらのうちの１つは、表3からの１つ以上の値によって拡張される（一例として、HDMI内で許容されるフォーマットのサブセットだけが示される）。
【表３】
0005642695.tif 000004
【００３６】
ディスプレイ・データ・チャネルを用いて、再生装置は、ディスプレイ能力に関する重要な情報を読み出し、どのフォーマットにおいて及びどの方法を用いてコンテンツを送信するかを決定する。この決定は、ディスプレイ能力及びいくつかのコンテンツ関連情報に従って行われ、以下のステップの少なくとも１つを実行する。
【００３７】
表3に示されるような表示装置が処理することができる１つ以上の三次元ビデオ・フォーマットに関してインタフェースを通じて表示装置に問い合わせる。好ましい実施の形態において、リストが複数のアイテムを含む場合、各々のディスプレイは、より大きな解像度及びフレームレートを持つものに対応する好きなフォーマットを持つことが仮定される。
【００３８】
その情報に基づいて、コンテンツが記憶される実際のフォーマットが考慮されて、ディスプレイにサポートされるフォーマットに「適合される」。これは、異なる実施の形態に対して異なる動作をもたらす可能性がある。例えばスケーリングが行われることができ、コンテンツ解像度がサポートされる解像度より小さい場合にはアップスケーリング、大きい場合にはダウンスケーリングが行われる。フレームレート又は色深度に関係する同様の適応が可能である。この結果として、１つのフォーマットが、次のステップにおいて選択されて考慮される。
【００３９】
有利な実施の形態において、選択されたフォーマットがステレオの場合、（EDID中にも示される）ディスプレイによって達成可能な最大水平及び垂直周波数を読み出す。それがコンテンツを収容するのに十分大きい場合、その解像度及びフレームレートに従って、時間シーケンシャル方法を選択する。
【００４０】
有利な実施の形態において、最大ディスプレイ周波数がコンテンツ・フレームレートによってすでに利用される場合、そしてコンテンツ色深度が最大ディスプレイ色深度の半分以下の場合、色深度方法を選択する。
【００４１】
あるいは、コンテンツ解像度が十分に小さい場合、同じアクティブ・フレーム中で左及び右のビューを伝達するライン・インタリーブ方法を選択する。
【００４２】
有利な実施の形態において、選択されたフォーマットが深さに基づく場合、同様の評価を実行して、色深度又はライン・インタリーブ方法が用いられることができるかを確認する。
【００４３】
別の態様では、コンテンツがステレオ・オーディオ・チャネルだけを含む場合、又は再生装置がフル・サラウンド・サウンド・システムに接続されない場合、HDMIオーディオ・パケット中に深さを収容する。
【００４４】
有利な実施の形態において、いかなる方法もHDMI制限を超過することなく選択されたフォーマットにおいてコンテンツを送信することができない場合、次のサポートされたフォーマット（すなわち、選択されたフォーマットの次に小さい解像度及びフレームレートをもつフォーマット）を選択し、ステップ0から繰り返す。
【００４５】
図2は、上で言葉で説明されたアルゴリズムのフローチャートを示す。ステレオ及び深さに基づくコンテンツを取り扱う部分は、それぞれ3及び4で示される。
【００４６】
図8は、三次元（3D）画像データ（例えばビデオ、グラフィックス又は他の視覚的情報）を転送するシステムを示す。三次元再生装置10は、三次元ディスプレイ信号56を転送するために三次元表示装置13に結合される。三次元再生装置は、画像情報を受け取るための入力手段51を持つ。例えば、入力手段装置は、DVD又はBlu-Rayディスクのような光学記録担体54からさまざまなタイプの画像情報を読み出すための光学ディスク・ユニット58を含むことができる。別の態様では、入力手段は、ネットワーク55（例えばインターネット又は放送ネットワーク）に結合するためのネットワーク・インターフェース・ユニット59を含むことができ、そのような装置は通常、セットトップ・ボックスと呼ばれる。画像データは、遠隔メディア・サーバ57から読み出されることができる。再生装置は、さらに、衛星受信機又は表示信号を直接提供するメディア・サーバであることができ、すなわち、ディスプレイ・ユニットに直接結合される三次元ディスプレイ信号を出力する任意の適切な装置であることができる。
【００４７】
三次元再生装置は、画像情報を処理して、表示装置に出力インタフェース・ユニット12を介して転送される三次元ディスプレイ信号56を生成するための、入力手段51に結合される処理ユニット52を持つ。処理ユニット52は、表示装置13上での表示のための三次元ディスプレイ信号56中に含まれる画像データを生成するように配置される。再生装置は、コントラスト又は色パラメータのような画像データの表示パラメータを制御するためのユーザ制御素子15を備える。そのようなユーザ制御素子は周知であり、三次元ソース装置のさまざまな機能（例えば再生及び記録機能）を制御し、例えばグラフィカル・ユーザインタフェース及び/又はメニューを介して前記表示パラメータを設定するための、さまざまなボタン及び/又はカーソル制御機能を持つリモート・コントロール・ユニットを含むことができる。
【００４８】
三次元表示装置13は、三次元画像データを表示するための装置である。この装置は、三次元ディスプレイ信号56を受け取るための入力インタフェース・ユニット14を持つ。表示装置は、コントラスト、色又は深さパラメータのようなディスプレイの表示パラメータを設定するために、更なるユーザ制御素子16を備える。転送された画像データは、ユーザ制御素子からの設定コマンドに従って処理ユニット18において処理されて、それぞれのフレームタイプに基づいて三次元ディスプレイ上で三次元画像データをレンダリングするためのディスプレイ制御信号を生成する。装置は、処理された画像データを表示するためのディスプレイ制御信号を受け取る三次元ディスプレイ17を持つ（例えば二重LCD）。表示装置13は、矢印44によって示される表示深さ範囲を持つ、三次元ディスプレイとも呼ばれる立体視ディスプレイである。三次元画像データの表示は、それぞれの部分的な三次元画像データ構造を各々が提供するそれぞれのフレームに依存して実行される。
【００４９】
システムは、再生装置にインタフェースを介して結合される三次元ビデオ情報を表示するように適応された表示装置を含む。再生装置は、三次元ビデオ情報を含む圧縮された情報ストリームを受け取って、これらの情報を処理して、そして表示装置にインタフェースを介して信号を送信する。再生装置は、記憶媒体から情報を読み出すことによって、又は別の伝送システムを介してそれを受け取ることによって、圧縮された情報ストリームを得ることができる。伝送システムの例示的な実施の形態は、インターネット、（デジタル）有線及び無線放送であり、一方、例示的な記憶媒体は、Blu-rayシステムである。
【００５０】
本発明による再生装置は、
− 記録媒体から又はデータ伝送システムを介して三次元ビデオ情報を受け取るための入力手段、
− 表示装置にインタフェースを通じてビデオ情報を送信するための出力手段であって、表示装置及びインタフェースは、表示装置の特性がインタフェースを通じて問い合わせられることができるような表示装置及びインタフェースである出力手段、
− 圧縮された三次元ビデオ情報が入力に対して利用可能である１つ以上のビデオ・フォーマットを決定するための手段、
− 表示装置が処理することができる１つ以上の三次元ビデオ・フォーマットに関してインタフェースを通じて表示装置に問い合わせるための手段、
− 最適なビデオ・フォーマットを選択するための手段であって、最適なビデオ・フォーマットは、少なくとも１つの利用可能なビデオ・フォーマットとは異なり、最適なビデオ・フォーマットの選択は、利用可能なビデオ・フォーマット及び表示装置が処理することができるビデオ・フォーマットに基づく手段、
− 三次元ビデオ情報が最適なビデオ・フォーマットでインタフェースを通じて送信されるように、圧縮された三次元ビデオ情報を処理するためのビデオ処理手段、
を有する。
【００５１】
なお、選択のための手段は、適切なハードウェア又はソフトウェアを介して再生装置を制御する制御ユニット中に埋め込まれることができる。本発明の実施の形態において、制御ユニットは、方法の全てのステップを実行するように適応されることができる。
【００５２】
フォーマット及び送信方法を選択した後に、再生装置は、プレーヤー設定レジスタ中に識別情報を記憶する。再生装置がBDプレーヤーである特定の実施の形態では、レジスタ29 "Player Capability for Video"の定義が拡張される。レジスタ29は、BD-ROMレイヤのビデオ能力を表す。現在それは、プレーヤーが50又は25Hzを出力するための能力を持つかどうか、及び、プレーヤーがFull HD解像度でセカンダリ・ビデオ・ストリームを復号することができるかどうかを定める。図5は、BDスペックのレジスタ29の拡張された記述を示す。３２ビット・レジスタの最初の２つのビットが用いられ、他のフィールドは予約されている。これらの他の予約フィールドは、サポートされる三次元出力フォーマットのタイプを示すために拡張されることができる。あるいは、これらの値を保持する新たなレジスタを定める。
【００５３】
セットトップ・ボックスのために、上述の追加レジストリが実現されることができる。
【００５４】
表3は、いくつかのフォーマット・オプションをすでに示した。現在、考え得る多くの異なるフォーマットを表すためには残りの6ビット（64オプション）を用いれば十分であると考えられる。
【００５５】
レジスタに加えて、ディスク上のJava（登録商標）アプリケーションは、アプリケーションによって描画される任意のグラフィックス・オーバレイがビデオ背景の正しい部分の上にオーバレイされるようにHAVi装置構成を設定する方法を決定することができるように、値を読み出すためのメカニズムを必要とする。
【００５６】
図5は、ビデオ背景のいくつかのフォーマット例を示す。
【００５７】
図6で分かるように、ビデオ背景の構成はかなり変化する場合があり、これらは単に２つのオプションであって、多くの他の構成も可能である。これらの異なる構成の各々において、グラフィックス・オーバレイは、ビデオ背景の異なる部分の上に合成されるはずである。
【００５８】
現在、HAVi装置構成は、HBackground装置、HVideoDevice、HGraphicsDeviceクラス及びHSceneクラスから成る。これらのクラスによって、アプリケーションは、背景、ビデオ、グラフィックス及びアプリケーションUIプレーンの構成、並びに、それらがどのように１つの出力フレームを構成するように合成されるかを制御することができる。図7は、HAVi装置の考えられる構成を示す。
【００５９】
図6で分かるように、複数のビデオ・ストリームが三次元のために用いられる。ステレオ・ディスプレイへの出力のためのグラフィックス・オーバレイは、ビデオの異なる部分上に２つの同一だが入れ換えられた画像をオーバレイしなければならない。自動立体視ディスプレイへの出力では、グラフィックス・オーバレイは、左（又は二次元）ビデオを含むビデオ上、並びに、深さ関連レイヤ（遮蔽及び透明度）上に配置されなければならない。三次元出力のためのプレーヤー・レジスタ設定を確認することによって、アプリケーションは、ビデオのどの部分がグラフィックスをオーバレイしなければならないかを見いだすことができる。
【００６０】
可能ではあるが、このアプローチはアプリケーション作成者にとってわずらわしい。これを軽減するために、三次元ビデオ・フォーマットにとって可能な異なる構成を表すことを可能にするために、BDプレーヤーにおけるHAVi装置構成メカニズムを変更することが必要とされる。
【００６１】
いくつかの態様が可能である。１つのアプローチは、各々が異なるビデオ背景セグメントを表Blu-rayディスクのために特定の新たなクラス（例えばBDLeftVideo、BDRightVideo、BDDepthVideo、BDOcclusionVideoなど）を追加することである。これらのクラスは、HVideoDeviceクラスの子クラスである。加えて、対応するGraphics overlayクラスが定義されることができる（例えばBDGraphicsLeft、BDGraphicsRight、BDGraphicsDepthなど）。更に、出力フォーマットの設定を記憶するレジスタの値（例えばget3DOutputConfiguration）をアプリケーションが読み出すことを可能にするためのメソッドが必要とされる。このメソッドは出力フォーマットを返す。そして、アプリケーションは、さまざまなGraphics overlayクラスを構成することができる。これは、出力フォーマットにおいて使用される正確な構成を知ることを要せずに、異なるビデオ・セグメント上にグラフィックスをオーバレイするアプリケーションをアプリケーション作成者が記述することを可能にする。
【００６２】
上述の実施の形態は、本発明を説明するのであって、制限しないことが留意されるべきである。当業者は、添付の請求の範囲から逸脱することなく、多くの代わりの実施の形態を設計することが可能である。請求の範囲において、括弧間に配置されるいかなる参照符号も、請求の範囲を制限するものとして解釈されてはならない。「有する」「含む」などの動詞又はそれらの活用形の使用は、請求の範囲に述べられる要素又はステップ以外の要素又はステップの存在を除外しない。単数で表現される要素はそのような要素が複数存在することを除外しない。本発明は、いくつかの異なる素子から成るハードウェアによって、及び適切にプログラムされたコンピュータによって、実現されることができる。コンピュータプログラムは、光学記憶装置のような適切な媒体上で記憶/配信されることができ、又はハードウェア部品と共に供給されることができるが、インターネット又は有線若しくは無線遠距離通信システムを介した配信のような、他の形式で配信されることもできる。いくつかの手段を列挙するシステム/装置/機器請求項において、これらの手段のいくつかは、ハードウェア又はソフトウェアの同じ一つのアイテムによって実施されることができる。単にある手段が相互に異なる従属請求項中に述べられているからといって、これらの手段の組み合わせが利益を得るために用いられることができないことを意味しない。
【図１】
0005642695.tif 000005
【図２】
0005642695.tif 000006
【図３】
0005642695.tif 000007
【図４】
0005642695.tif 000008
【図５】
0005642695.tif 000009
【図６】
0005642695.tif 000010
【図７】
0005642695.tif 000011
【図８】
0005642695.tif 000012